(57)【要約】  【課題】植物の根部を圧搾するおそれがなく、設置後においても植物を好適に生育させることができ、また苗ポットを収容するための現場での袋状体の切開作業や、苗ポットを挿入する作業等の煩雑な作業を要することがなく、取扱いが簡易で、壁面緑化の施工も非常に容易且つ短期間に行うことのできる壁面緑化パネルと壁面の緑化工法を提供することを課題とする。  【解決手段】植栽基盤とポット苗植物とが収容可能で、該ポット苗植物の植物部分を外部に裸出させうるように開口部を絞り込んで閉鎖することのできるような巾着状に形成された袋体と、該袋体を縦横に複数設置して収納するためのケーシングとを具備し、前記袋体の開口部の位置に対応させて該袋体の開口部から外部に裸出した植物を通過させて前面側に臨出させるための開口部が、前記ケーシングの前面側に設けられ、且つ該ケーシングの後面側から袋体を収納することができるように構成されていることを特徴とする。【選択図】図５
2008113577.tif 000002
【特許請求の範囲】
【請求項１】
土壌等の植栽基盤とポット苗植物（８）とが収容可能で、該ポット苗植物（８）の植物部分を外部に裸出させうるように開口部（５）を絞り込んで閉鎖することのできるような巾着状に形成された袋体（１） と、前記袋体（１）を縦横に複数設置して収納するためのケーシング（２）とを具備し、前記袋体（１）の開口部（５）の位置に対応させて該袋体（１）の開口部（５）から外部に裸出した植物を通過させて前面側に臨出させるための開口部が前記ケーシング（２）の前面側に設けられ、且つ該ケーシング（２）は、前記植物を臨出させる開口部が設けられた前面側とは反対側のケーシング（２）の後面側から前記袋体（１）を収納することができるように構成されていることを特徴とする壁面緑化パネル。
【請求項２】
ケーシング（２）の前面側に、複数の孔（２０）が穿設された前面側プレート（３）が設置され、該前面側プレート（３）に穿設された複数の孔（２０）が、袋体（１）の開口部（５）から外部に裸出した植物を通過させて前面側に臨出させるための開口部として形成されている請求項１記載の壁面緑化パネル。
【請求項３】
袋体（１）の袋本体部（４）が、不織布で構成されている請求項１又は２記載の壁面緑化パネル。
【請求項４】
土壌等の植栽基盤とポット苗植物（８）とを、開口部（５）を絞り込んで閉鎖することのできるような巾着状に形成された袋体（１）内に収容するとともに、前記ポット苗植物（８）の植物部分を前記袋体（１）の開口部（５）から外部に裸出させ、該ポット苗植物（８）を土壌等の植栽基盤とともに収容した袋体（１）を、ケーシング（２）の後面側から該ケーシング（２）内に収納して縦横に複数設置し、前記袋体（１）の開口部（５）から外部に裸出したポット苗植物（８）の植物部分を、前記ケーシング（２）の前面側の開口部を通過させて該ケーシング（２）の前面側に臨出させることを特徴とする壁面の緑化工法。
【請求項５】
土壌等の植栽基盤とポット苗植物（８）とを、開口部（５）を絞り込んで閉鎖することのできるような巾着状に形成された袋体（１）内に収容するとともに、前記ポット苗植物（８）の植物部分を前記袋体（１）の開口部（５）から外部に裸出させ、該ポット苗植物（８）を土壌等の植栽基盤とともに収容した複数の袋体（１）と、ポット苗植物（８）を収容せず、土壌等の植栽基盤のみを収容した複数の袋体（１）とを、ケーシング（２）の後面側から該ケーシング（２）内に収納して縦横に設置し、前記袋体（１）の開口部（５）から外部に裸出したポット苗植物（８）の植物部分を、前記ケーシング（２）の前面側の開口部を通過させて該ケーシング（２）の前面側に臨出させることを特徴とする壁面の緑化工法。
【発明の詳細な説明】
【技術分野】
【０００１】
本発明は、壁面緑化パネルと、その緑化パネルを用いた壁面の緑化工法、さらに詳しくは、建築、構築物の壁面の前面部側に設置することによって、その壁面の前面部側を緑化する壁面緑化パネルと、その壁面緑化パネルを設置して壁面を緑化する工法に関する。
【背景技術】
【０００２】
近年、都市緑化等の要請が高まり、それに応じて都市部における種々の場所、たとえば、公園、歩道等の場所で人為的に樹木を植設する等によって緑化が行われている。特に建築物、構築物等が立ち並ぶような場所では、自然木等が少ないので、そのような建築物、構築物等の壁面の緑化を行うことが盛んに試みられており、その緑化の工法として種々の方法がある。
【０００３】
このような壁面緑化技術として、本発明にもっとも近似するものとして、たとえば下記特許文献１及び特許文献２のような特許出願がなされている。特許文献１に係る発明は、建造物の被緑化面に沿って数列、数段に土嚢を積み重ね、該土嚢の前面を、所望形状の透かしを全面に有するフェンスにより抑え、建造物側面とフェンス間に土床を構築し、土嚢間には植物の根部を挟持して根付けし、該植物はフェンス外に繁茂せしめる方法である。
【０００４】
しかし、この特許文献１に開示された方法は、土嚢間に植物の根部を直接挟持して施工がされるため、そのように土嚢間で植物の根部を直接挟持させることは、土嚢の重量により植物の根を圧搾するおそれがあるので、植物の生育にとって必ずしも好適なこととはいえない。
【０００５】
一方、特許文献２に係る発明は、少なくともポット苗の植え込みが可能な作業開口を少なくとも前面に形成したパネル枠と、このパネル枠の直ぐ内側に配置されて支持され、前記作業開口の外側からの切開作業が可能で吸水性及び復元性を有した袋状マット材と、この袋状マット材の内側に充填されて、植生植物を生育させるための植生基材またはこれを充填した立体網状マットとにより構成した緑化パネルを開示したものである。
【０００６】
しかしながら、この特許文献２に係る発明は、上述のように、作業開口の外側からの切開作業によって袋状マット材に切り込み（切れ目）等の切開部分を現場等で形成し、その切開部分を開口させつつポット苗等を収納する作業を行うため、そのような切開部分の形成や、切開部分を開口させつつポット苗等を収納する作業が煩雑となり、施工の作業性が決して良好なものとはいえなかった。
【０００７】
そもそも、この特許文献２に係る発明は、それ自体が壁掛け等の装飾物にも使用できるようにすることをも意図するものであり、装飾性等をも意図しているので、壁面緑化に必要な施工の作業性等はさほど考慮されていないものである。
【０００８】
【特許文献１】特開平５−２２７８４３号公報
【特許文献２】特開２００４−２５４５５９号公報
【発明の開示】
【発明が解決しようとする課題】
【０００９】
本発明は、このような問題点を解決するためになされたもので、上記特許文献１に開示された技術のように、植物の根部を挟持させて圧搾するおそれがなく、設置後においても植物を好適に生育させることができ、また特許文献２に開示された技術のように、苗ポットを収容するための現場での袋状体の切り込み形成による切開作業や、その切り込みを広げることによる苗ポットを挿入する作業等の煩雑な作業を要することがなく、取扱いが簡易で、壁面緑化の施工も非常に容易且つ短期間に行うことのできる壁面緑化パネルと、壁面の緑化工法を提供することを課題とする。
【課題を解決するための手段】
【００１０】
本発明は、このような課題を解決するために、壁面緑化パネルと、その緑化パネルを用いた壁面の緑化工法としてなされたもので、壁面緑化パネルとしての特徴は、土壌等の植栽基盤とポット苗植物８とが収容可能で、該ポット苗植物８の植物部分を外部に裸出させうるように開口部５を絞り込んで閉鎖することのできるような巾着状に形成された袋体１と、前記袋体１を縦横に複数設置して収納するためのケーシング２とを具備し、前記袋体１の開口部５の位置に対応させて該袋体１の開口部５から外部に裸出した植物を通過させて前面側に臨出させるための開口部が、前記ケーシング２の前面側に設けられ、且つ該ケーシング２は、前記植物を臨出させる開口部が設けられた前面側とは反対側のケーシング２の後面側から前記袋体１を収納することができるように構成されていることである。
【００１１】
また、壁面の緑化工法の特徴は、土壌等の植栽基盤とポット苗植物８とを、開口部５を絞り込んで閉鎖することのできるような巾着状に形成された袋体１内に収容するとともに、前記ポット苗植物８の植物部分を前記袋体１の開口部５から外部に裸出させ、該ポット苗植物８を土壌等の植栽基盤とともに収容した袋体１を、ケーシング２の後面側から該ケーシング２内に収納して縦横に複数設置し、前記袋体１
の開口部５から外部に裸出したポット苗植物８の植物部分を、前記ケーシング２の前面側の開口部を通過させて該ケーシング２の前面側に臨出させることである。
【００１２】
さらに、他の壁面の緑化工法の特徴は、土壌等の植栽基盤とポット苗植物８とを、開口部５を絞り込んで閉鎖することのできるような巾着状に形成された袋体１内に収容するとともに、前記ポット苗植物８の植物部分を前記袋体１の開口部５から外部に裸出させ、該ポット苗植物８を土壌等の植栽基盤とともに収容した複数の袋体１と、ポット苗植物８を収容せず、土壌等の植栽基盤のみを収容した複数の袋体１とを、ケーシング２の後面側から該ケーシング２内に収納して縦横に設置し、前記袋体１の開口部５から外部に裸出したポット苗植物８の植物部分を、前記ケーシング２の前面側の開口部を通過させて該ケーシング２の前面側に臨出させることである。
【００１３】
ケーシング２の前面側に、複数の孔２０が穿設された前面側プレート３を設置させ、該前面側プレート３に穿設された複数の孔２０を、袋体１の開口部５から外部に裸出した植物を通過させて前面側に臨出させるための開口部として形成することも可能である。また、袋体１の袋本体部４は、好ましくは不織布で構成される。
【発明の効果】
【００１４】
本発明は、上述のように、袋体内に土壌等の植栽基盤とともにポット苗植物を収容し、そのポット苗植物の植物部分を開口部から外部に裸出させつつ、巾着状の袋本体部の開口部を絞り込んで閉鎖することができ、さらに、そのような袋体をケーシング内に収納して縦横に複数設置し、袋体から裸出させている植物部分をケーシングの前面側の開口部を通過させ、前面側に臨出させて施工することができるので、たとえば上記特許文献２に開示された技術のように、袋状マット材に切り込みを形成する等の
作業開口の外側からの切開作業を現場で行う必要もなく、また切り込み等の切開部分を開口させつつポット苗等を収納するような煩雑な作業も不要となり、このような従来の壁面緑化工法に比べて施工性が著しく良好になるという効果がある。また、この結果、短期間に施工することが可能となる。
特に、本発明においては、植物を臨出させる開口部が設けられた前面側とは反対側のケーシングの後面側から袋体を収納することができるので、ポット苗植物を収容した袋体をケーシング内に収容する作業の作業性が一層良好となる効果がある。
【００１５】
また、上記特許文献１の壁面緑化技術のように、土嚢間に植物の根部を直接挟持するような方法ではないので、土嚢の重量により植物の根を圧搾するようなおそれもなく、植物の生育を阻害させるようなおそれもないという効果がある。
【００１６】
さらに、植栽基盤やポット苗植物を収容する袋体が、開口部を絞り込んで閉鎖することができるような巾着状に形成されているため、袋体に収容された植栽基盤が外部に零れ落ちるようなことも好適に防止することができるという効果がある。
さらに、袋体が、開口部を絞り込んで閉鎖することができるような巾着状に形成されているため、植物の茎数や葉部の大小等に応じて袋体の開口部の大きさを調整することができるという効果がある。
【発明を実施するための最良の形態】
【００１７】
以下、本発明の実施形態について図面に従って説明する。
【００１８】
本実施形態の壁面緑化パネルは、図５乃至図８に示すように、土壌等の植栽基盤と、ポット苗植物８とが収容される袋体１と、該袋体１を縦横に複数設置して収納するためのケーシング２と、該ケーシング２の前面側に設置される前面側プレート３とを具備して構成されている。
【００１９】
袋体１を構成している袋本体部４は、全体が不織布からなり、図１及び図２に示すように、全体が巾着袋のように開口部５を口紐６で絞り込んで閉鎖することのできるような形状に形成されている。袋本体部４内には、図２に示すように、人工土壌７が収容され、さらにポット苗植物８が収容されている。この場合、人工土壌７に代えて天然土壌を用いることも可能である。
【００２０】
そのポット苗植物８は、植物の根を埋設している根鉢９の部分と、該根鉢９から立設する植物体１０の部分とで構成されているが、図２に示すように、その根鉢９の部分が袋本体部４内で人工土壌７内に埋設され、且つ植物体１０の部分は、袋本体部４の開口部５から外側に裸出した状態とされている。
【００２１】
ケーシング２は、図３に示すように、金属製のフレームを具備して全体が金網状に形成されたものである。より具体的には、このケーシング２は、図３のように、前面側フレーム１１と、後面側フレーム１２と、側面側フレーム１３と、底面側フレーム１４とで構成されている。前面側フレーム１１は、縦横それぞれ４本ずつのフレームで構成されており、それらの縦横それぞれ４本ずつのフレームによって図３に示すように計９個の空間に仕切られている。
【００２２】
また後面側フレーム１２は、上下左右に１本ずつ計４本のフレームを周辺部に配置した構成からなるもので、このように周辺部のみに配置された４本のフレームで後面側フレーム１２が構成されている結果、前記袋体１をケーシング２の後面側から収納することができる状態とされている。側面側フレーム１３は、縦に３本、上下に２本配置されたフレームで構成されているが、その縦の３本のフレームのうち、１本のフレームは前面側フレーム１１の１本と共用され、他の１本のフレームは後面側フレーム１２の１本と共用されている。さらに、底面側フレーム１４は、縦に４本、横に２本のフレームで構成されているが、横２本のフレームは、それぞれ前面側フレーム１１及び後面側フレーム１２の１本ずつと共用されている。
【００２３】
そして、前記側面側フレーム１３の外側に側面側プレート１５が取り付けられている。側面側プレート１５の両端部は、略コ字状に屈曲されてそれぞれ係止片１６、１６が形成されている。そして、この係止片１６の内側は、後述の前面側プレート３や後面側プレート１９が案内される案内部１７として形成されている。そして、前面側プレート３が案内される案内部１７を形成する係止片１６と、前面側フレーム１１との間には、隙間２２が形成されている。このような隙間２２が形成されることによって、仮に袋体１の開口部５から人工土壌７等が不用意に流出したとしても、その流出した人工土壌７等は、その隙間２２にこぼれ落ち、前面側プレート３に穿設された孔２０からこぼれ落ちるようなことがないので、壁面緑化の施工がなされるパネル前面側の外観体裁が損なわれるようなこともないのである。
【００２４】
さらに、底面側フレーム１４の下面側には、支持部材２３が取り付けられている。この支持部材２３は、ケーシング２内に収納される袋体１が、緑化パネルの下方に不要に落下するのを防止すべく該袋体１を支持するためのものであり、両側の係止片２３ａ、２３ａが底面側フレーム１４に係止されることによって取り付けられている。尚、本実施形態では、図３に示すように、ケーシング２の底面の中央のみに支持部材２３が取り付けられているが、底面全面に支持部材２３を取り付けることも可能である。
【００２５】
前面側プレート３は、化粧用パネル等として用いられるような木製のものであり、図５に示すように全体が正方形状に形成され、計９個の円形の孔２０が穿設されている。このように前面側プレート３に穿設された計９個の孔２０は、縦横等間隔に形成され、その結果、前記ケーシング２の前面側フレーム１１を構成する縦横４本ずつのフレームで仕切られた計９個の空間に対応する位置に存在している。また後面側プレート２１は、前面側プレート３と同様に化粧用パネル等として用いられるような木製のもので、全体が正方形状に形成されたものであるが、前面側プレート３のような孔は穿設されてはいない。
【００２６】
次に、上記のような構成からなる壁面緑化パネルを用いて壁面緑化を行う工法について説明する。
先ず、壁面緑化パネルを予め組み立てる。その場合、先ず図５に示すように前面側プレート３をケーシング２の前面側に設置する。より具体的には、図４に示すように、
前面側プレート３の両側部を、側面側プレート１５によって形成されている案内部１７内に案内させる。これによって、前面側プレート３の両側部が、図４のように前記側面側プレート１５の係止片１６に係止され、前面側プレート３がケーシング２から離脱するのが禁止されることとなる。
【００２７】
このようにして前面側プレート３をケーシング２の前面側に設置した後、該ケーシング２の後面側から、計９個の袋体１をケーシング２内に収納する。袋体１を構成する袋本体４には、図１及び図２に示すように、予め人工土壌７やポット苗植物８を収容しておく。そして、ポット苗植物８の植物体１０の部分のみが外側に裸出するように、人工土壌７やポット苗植物８の収容後に、袋本体４の開口部５を口紐６で絞り込んで閉鎖する。このように口紐６で絞り込んで閉鎖した状態において、袋体１の全体が、あたかも巾着袋のような状態となる。
【００２８】
そして、図６乃至図８のように、計９個の袋体１をケーシング２内に収納しつつ、前記袋本体４の開口部５の外側に裸出した植物体１０の部分を、図６及び図７のように、ケーシング２の前面側に設置された前面側プレート３の孔２０から、該前面側プレート３の前面側に臨出させる。
【００２９】
袋体１は、図８に示すように、ケーシング２内に比較的密な状態で収納され、従って、計９個の袋体１は、同図のようにほとんど位置ずれすることなく、やや角みを帯びた状態で配置されることとなる。このように、袋体１がケーシング２内に比較的密な状態で収納され、袋体１が位置決めされ易い状態となるので、袋体１にそれぞれ収容されているポット苗植物８の植物体１０の部分を、前面側プレート３の孔２０から外部に裸出させる作業も、容易に行うことができ、その分、施工性も良好となるのである。
【００３０】
上記のようにして、計９個の袋体１をケーシング２内に収納し、それぞれの袋体１から裸出している植物体１０の部分を、前面側プレート３の孔２０から外部に突出させて前記前面側プレート３の前面側に臨出させた後、図６及び図７に示すように、後面側プレート１９をケーシング２の後面側に設置する。具体的には、図４のように後面側プレート１９の両側部を前記案内部１７内に案内し、前記係止片１６に係止させることによって、前面側プレート３がケーシング２から離脱するのが禁止されることとなる。このようにして緑化パネル２１の組み立てが完成することとなる。
【００３１】
次に、上記のようにして組み立てられた緑化パネル２１を、建築物や構築物の壁面の前面側等において、縦横に複数個設置する。たとえば、図９に示すように、横に計３個、縦に計３個ずつ設置される。この場合、各緑化パネル２１間に同図のように隙間２４が設けられるような状態で、各緑化パネル２１は壁面等に貼着されるようにして設置される。１個の緑化パネル２１については、前面側プレート３の９個の孔２０からそれぞれ９個の植物体１０が外部に裸出され、従って、図９のように縦横に３個ずつ計９個の緑化パネル２１が配置されている場合には、８１個の植物体１０が外部に裸出された状態となっている。よって、施工現場に緑化パネルを設置した後、所定期間後に植物が生育すると、計９個の緑化パネル２１の前面の略全面に植物が繁茂した状態となり、建築物や構築物の壁面の前面側を好適に緑化することができるのである。
【００３２】
この場合において、ポット苗植物８を収容している袋体１の袋本体部４は、不織布で構成されているため、袋体内の通気性が良好となり、また袋体１内に収容されているポット苗植物８の根が伸長する際に、隣接する袋体１の袋本体部４を通過して伸長することができ、複数の袋体がケーシング内に収容されて施工された状態において、植物の生育が阻害されるようなこともなく、壁面緑化を好適に行うことができることとなる。
【００３３】
また、人工土壌とともにポット苗植物を収容し、そのポット苗植物の植物部分を開口部から外部に裸出させて、巾着状の袋本体部４の開口部を絞り込んで閉鎖することができるので、人工土壌とともにポット苗植物を袋体１内に収容する作業を容易に行うことができ、作業性が非常に良好となる。
【００３４】
さらに、巾着状の袋体１を使用する結果、袋体１に収容された植栽基盤が外部に零れ落ちるようなこともなく、また植物の茎数や葉部の大小等に応じて袋体１の開口部の大きさを調整することも可能となる。
【００３５】
尚、上記実施形態では、袋体１の袋本体部４を不織布で構成したため、上記のような好ましい効果が得られたが、袋本体部４の素材は上記実施形態の不織布に限定されるものではない。
【００３６】
また上記実施形態では、ケーシング２として金網状のものを用いたが、ケーシング２の形態も上記実施形態に限定されるものではなく、たとえば前後面や側面がすべてプレートで構成されたようなもの、或いは前後面や側面がすべて不織布で構成されたようなものを用いることも可能である。
【００３７】
さらに、上記実施形態では、前面側プレート３に計９個の孔２０を穿設したが、孔２０の個数も該実施形態の９個に限定されるものではなく、ケーシング２内に収納される袋体１の個数に応じて任意に変更することができる。
【００３８】
さらに、上記実施形態では、ケーシング２内に収納されるすべての袋体１内にポット苗植物８を収容したが、すべての袋体１内にポット苗植物８を収容する必要は必ずしもなく、たとえば上記実施形態のように９個の袋体１をケーシング２内に収容する場合、中央とコーナー部の５個の袋体１内にポット苗植物８を収容し、他の４個の袋体１内には、植栽基盤のみを収容してもよい。この場合においても、ポット苗植物８を収容した袋体１内の植物の根が伸長して、ポット苗植物８が収容されていない袋体１内にも侵入しうるので、植物はケーシング２内の全体に均一に繁殖することとなるのである。
【００３９】
さらに、上記実施形態では、ケーシング２の前面側に、孔２０が穿設された前面側プレート３を設置したため、施工性がより良好になるという好ましい効果が得られたが、このような孔２０が穿設された前面側プレート３を設置することは本発明に必須の条件ではなく、たとえば上記実施形態の金網状のケーシング２の前面部から、直接袋体１の開口部５の外側に裸出する植物を臨出させるようにしてもよい。この場合には、上記のようにケーシング２の前面側フレーム１１によって形成される９個の空間部が、植物を臨出させるケーシング２の開口部となる。
【００４０】
さらに、上記実施形態では、灌水をする場合について特に説明していないが、たとえばケーシング２内の上部に灌水パイプを設置し、その灌水パイプに小孔を穿設して点滴状に水を滴下して灌水するようなことが可能である。
【図面の簡単な説明】
【００４１】
【図１】一実施形態の緑化パネルに用いる袋体の概略正面図。
【図２】同袋体の概略断面図。
【図３】同緑化パネルを構成するケーシングの概略斜視図。
【図４】同ケーシングにおける前面側及び後面側のプレートの取付構造を示す要部拡大概略平面図。
【図５】同緑化パネルの概略正面図。
【図６】同緑化パネルの概略平面図。
【図７】図６のＡ−Ａ線断面図。
【図８】図６のＢ−Ｂ線断面図。
【図９】複数の緑化パネルを設置して壁面の緑化施工を行う概略側面図。
【符号の説明】
【００４２】
１…袋体                  ２…ケーシング
３…前面側プレート        ４…袋本体部
５…開口部              ２０…孔
【図１】
2008113577.tif 000003
【図２】
2008113577.tif 000004
【図３】
2008113577.tif 000005
【図４】
2008113577.tif 000006
【図５】
2008113577.tif 000007
【図６】
2008113577.tif 000008
【図７】
2008113577.tif 000009
【図８】
2008113577.tif 000010
【図９】
2008113577.tif 000011